(57)【特許請求の範囲】
【請求項１】
床板に形成された開口部の内周縁に沿って補強根太が取り付けられるとともに、補強根太の内側面に受け木が取り付けられ、これら補強根太と受け木と床板とで形成される空間に、収納庫本体を支持するための第一支持部と蓋体を支持するための第二支持部とを有する断面略ｋ字状の外枠が配設され、
上記開口部に収納庫本体が挿入され、外枠の第一支持部に収納庫本体のフランジ部が載置されるとともに、
外枠の第二支持部には、床板の開口部を閉鎖可能な蓋体が載置されてなる床下収納庫であって、
外枠と受け木との間、および外枠の第一支持部と収納庫本体のフランジ部との間には、それぞれの間隙を密封するシール材が設けられる一方、
前記蓋体は、蓋本体の裏面に、断熱材と、この断熱材を覆う保護カバーとが設けられ、保護カバーの外周端縁を覆って蓋本体の外周縁に縁枠が装着されるとともに、保護カバーには収納庫本体のフランジ部に対応する位置にシール材が配設され、蓋体の保護カバーと収納庫本体のフランジ部との間隙を密閉するようになされたことを特徴とする床下収納庫。
【請求項２】
前記蓋体は左右の蓋体から構成され、各蓋体の内側端縁が外枠の中央に架設され、側面および下面を保温材で被覆した中桟に支持され、さらに、中桟に臨む各蓋体の保護カバーの内側端縁と中桟との間がシール材を介して密封されていることを特徴とする請求項１記載の床下収納庫。
【請求項３】
前記蓋体は左右の蓋体から構成され、各蓋体の内側端縁が外枠の中央に架設された中桟に支持され、中桟に臨む各蓋体の保護カバーの内側端縁近傍がその厚み方向において各蓋体の外側端縁を中心とする円弧面に形成されていることを特徴とする請求項１記載の床下収納庫。
【発明の詳細な説明】
【０００１】
【発明の属する技術分野】
本発明は、床下収納庫に関するものである。
【０００２】
【従来の技術】
従来より、台所などに床下収納庫を設置することが知られている。この床下収納庫１は、図５に示すように、床板２に形成された方形の開口部２ａの内周面に沿って外枠３が配設され、この外枠３に収納庫本体４が載置される一方、外枠３に蓋体５が載置されて床板２の開口部２ａが閉鎖されるものである。
【０００３】
そして、床板２の裏面には、その開口部２ａの内周縁に沿って補強根太２１が取り付けられ、さらに、補強根太２１の内側面に受け木２２が取り付けられており、これらの補強根太２１と受け木２２および床板２で形成される空間に収納庫本体４を支持するための第１支持部３１および蓋体５を支持するための第２支持部３２とを有する断面略ｋ字状の外枠３が配設されている。
【０００４】
また、収納庫本体４は、底壁および該底壁の外周縁から立ち上がらせた側壁からなる箱状体４１と、この箱状体４１の開口端外周面に鍔状に延設されたフランジ部４２と、から形成され、この収納庫本体４を床板２の開口部２ａに装着された外枠３で区画された空間を通して嵌入した際、そのフランジ部４２が外枠３の第１支持部３１に載置されるようになっている。
【０００５】
一方、蓋体５は、合板などで形成された蓋本体５１と、アルミなどで形成されて蓋本体５１の外周縁に装着された断面略コ字状の縁枠５２と、蓋本体５１の裏面に固定された角パイプ状の補強金具５３と、からなり、蓋体５を床板２の開口部２ａに装着された外枠３に沿って嵌め込んだ場合、蓋体５の縁枠５２が外枠３の第２支持部３２に載置され、その際、蓋体５の蓋本体５１の表面が床板２の表面と面一に連続するものである。なお、蓋体５には、図示しない取っ手が設けられており、この取っ手を把持して蓋体５を持ち上げることができるようになっている（例えば、実開平６−１０４９４号公報参照）。
【０００６】
【発明が解決しようとする課題】
ところで、前述した床下収納庫１においては、蓋体５を通して室内と収納庫本体４の内部とが熱交換するとともに、外枠３を通して、あるいは、外枠３および外枠３に載置される蓋体５の縁枠５２を通して熱伝導し、熱損失が発生する問題があった。また、収納庫本体４の内部と室内とが外枠３の第２支持部３２と蓋体５の縁枠５２との隙間および外枠３と蓋体５の縁枠５２との隙間を通して連通する他、収納庫本体４の外部と室内とが外枠３の第１支持部３１と収納庫本体４のフランジ部４２との隙間、外枠３の第２支持部３２と蓋体５の縁枠５２との隙間および外枠３と蓋体５の縁枠５２との隙間を通して連通する結果、室内の空調された空気が床下に逃げたり、床下の外気が室内に浸入し、室内の断熱性能が損なわれるという問題もあった。
【０００７】
なお、蓋体を通して熱損失が発生するのを防止するため、蓋本体の裏面に断熱材を配設することも知られているが、断熱材が外部に露出している関係上、損傷し易いという欠点があった。
【０００８】
本発明は、このような問題点に鑑みてなされたもので、室内の断熱性能を確保することのできる床下収納庫を提供するものである。
【０００９】
【課題を解決するための手段】
本発明は、床板に形成された開口部の内周縁に沿って補強根太が取り付けられるとともに、補強根太の内側面に受け木が取り付けられ、これら補強根太と受け木と床板とで形成される空間に、収納庫本体を支持するための第一支持部と蓋体を支持するための第二支持部とを有する断面略ｋ字状の外枠が配設され、上記開口部に収納庫本体が挿入され、外枠の第一支持部に収納庫本体のフランジ部が載置されるとともに、外枠の第二支持部には、床板の開口部を閉鎖可能な蓋体が載置されてなる床下収納庫であって、外枠と受け木との間、および外枠の第一支持部と収納庫本体のフランジ部との間には、それぞれの間隙を密封するシール材が設けられる一方、前記蓋体は、蓋本体の裏面に、断熱材と、この断熱材を覆う保護カバーとが設けられ、保護カバーの外周端縁を覆って蓋本体の外周縁に縁枠が装着されるとともに、保護カバーには収納庫本体のフランジ部に対応する位置にシール材が配設され、蓋体の保護カバーと収納庫本体のフランジ部との間隙を密閉するようになされたことを特徴とするものである。
【００１０】
【発明の実施の形態】
以下、本発明の実施例の形態を、図面に基づいて詳細に説明する。
【００１１】
なお、説明の便宜上、図５に示した従来例の部材と同一の部材には同一の符号を用いるものとする。
【００１２】
図１には、本発明の床下収納庫１の第１実施形態が示されており、この床下収納庫１は、床板２に形成された方形の開口部２ａおよび床板２の開口部２ａに補強根太２１を介して固定された受け木２２にわたって配設された外枠３と、この外枠３に載置された収納庫本体４と、床板２の開口部２ａを遮蔽するため、外枠３に載置された蓋体５と、から構成されている。
【００１３】
そして、外枠３にはシール材６が配設されており、このシール材６を介して外枠３は受け木２２に載置されている。このため、外枠３を通して、あるいは、外枠３および蓋体５の縁枠５２を通して熱伝導による熱損失が発生するのを防止することができる。また、外枠３の第１支持部３１近傍に形成された溝３３には、シール材６１が配設されており、収納庫本体４のフランジ部４２が外枠３の第１支持部３１に載置された際、収納庫本体４のフランジ部４２の先端側面がシール材６１を押圧するようになっている。このため、外枠３と収納庫本体４のフランジ部４２との隙間を密閉することができ、収納庫本体４の外部と室内との空気の流通を遮断することができる。
【００１４】
一方、蓋体５は、蓋本体５１と、蓋本体５１の外周縁に装着された断面略コ字状の縁枠５２と、蓋本体５１の裏面に固定された角パイプ状の補強金具５３と、この補強金具５３を覆って蓋本体５１の裏面に貼着された断熱材５４と、この断熱材５４を保護する保護カバー５５と、からなり、保護カバー５５の外周端縁は蓋本体５１に装着された縁枠５２に嵌め込まれている。この結果、蓋体５を通して発生する熱損失を防止することができるとともに、断熱材５４の破損を防止することができる。そして、蓋体５の保護カバー５５には、収納庫本体４のフランジ部４２に臨んでシール材６２が配設されており、蓋体５が床板２の開口部２ａを閉鎖した場合、蓋体５の保護カバー５５と収納庫本体４のフランジ部４２との隙間を密閉することができ、収納庫本体４の内部と室内との空気の流通を遮断することができる。
【００１５】
以上のように、シール材６を配設することで外枠３あるいは縁枠５２を通して熱伝導するのを防止することができるとともに、シール材６１，６２を配設することで収納庫本体４の外部あるいは内部と室内との空気の流通を遮断することができ、また、保護カバー５５で覆われた断熱材５４を設けることで蓋体５を通して熱放射するのを長期にわたって防止することができ、室内の断熱性能を確保することが可能となる。
【００１６】
一方、図３および図４には、本発明の床下収納庫１の第２実施形態が示されており、この実施形態においては、蓋体５は左右の蓋体５Ｌ，５Ｒによって形成されている。各蓋体５Ｌ，５Ｒは、前述した第１実施形態の場合と同様に、蓋本体５１と、蓋本体５１の外周縁に装着された断面略コ字状の縁枠５２と、蓋本体５１の裏面に固定された角パイプ状の補強金具５３と、この補強金具５３を覆って蓋本体５１の裏面に貼着された断熱材５４と、この断熱材５４を保護する保護カバー５５と、から構成されている。一方、外枠３は、その中央に中桟３４が架設されており、この中桟３４に各蓋体５Ｌ，５Ｒの内側端縁が載置されるようになっている。そして、外枠３の中桟３４の側面および下面には、保温材７が装着されており、この中桟３４および中桟３４に載置される蓋体５の縁枠５２を通して熱伝導するのが防止されている。また、外枠３の中桟３４には、蓋体５の保護カバー５５に臨んでシール材６３が配設されており、蓋体５によって床板２の開口部２ａを閉鎖した場合、蓋体５の保護カバー５５と外枠３の中桟３４との隙間を密閉することができ、収納庫本体４の内部と室内との空気の流通を遮断することができる。
【００１７】
なお、詳細には図示しないが、この実施形態においても第１実施形態の場合と同様に、シール材６，６１，６２が配設されている。この場合、シール材６２は、中桟３４に臨む蓋体５Ｌ，５Ｒの内側端縁側一辺を除く三辺に配設されている。
【００１８】
したがって、蓋体５を左右の２枚で形成した場合であっても、外枠３あるいは縁枠５２を通して熱伝導するのを防止することができるとともに、収納庫本体４の外部あるいは内部と室内との空気の流通を遮断することができ、合わせて蓋体５を通して熱放射するのを長期にわたって防止することができ、室内の断熱性能を確保することが可能となるものである。
【００１９】
なお、各蓋体５Ｒ，５Ｌの保護カバー５５は、外枠３の中桟３４に載置される内側端縁近傍が、その厚み方向において、その対向する外側端縁を中心とする円弧面に形成されている。このため、外枠３に対して各蓋体５Ｒ，５Ｌをその外側端縁を中心として持ち上げた場合、各蓋体５Ｒ，５Ｌを中桟３４に干渉させることなく床板２の開口部２ａを開放することができる。
【００２０】
【発明の効果】
以上のように本発明によれば、外枠あるいは縁枠を通して熱伝導するのを防止することができるとともに、収納庫本体の外部あるいは内部と室内との空気の流通を遮断することができ、さらに、蓋体を通して熱放射するのを防止することができ、室内の断熱性能を確保することが可能となる。
【図面の簡単な説明】
【図１】本発明の床下収納庫を一部省略して示す断面図である。
【図２】図１のＡ部の拡大図である。
【図３】本発明の床下収納庫の他の実施形態を一部省略して示す断面図である。
【図４】図３のＢ部の拡大図である。
【図５】従来の床下収納庫を一部省略して示す斜視図である。
【符号の説明】
１  床下収納庫
２  床板
２ａ  開口部
３  外枠
３１  第１支持部
３２  第２支持部
３３  溝
３４  中桟
４  収納庫本体
４１  箱状体
４２  フランジ部
５，５Ｌ，５Ｒ  蓋体
５１  蓋本体
５２  縁枠
５３  補強金具
５４  断熱材
５５  保護カバー
６，６１，６２，６３  シール材
７  保温材
【図１】
0003634931.tif 000002
【図２】
0003634931.tif 000003
【図３】
0003634931.tif 000004
【図４】
0003634931.tif 000005
【図５】
0003634931.tif 000006